(57)【要約】【課題】従来、監視カメラ等の監視画像を受信して文字列等を監視画像とともに表示する場合、文字列等の内容は監視画像の送信側で決定されており、受信側では任意に文字列等の内容を決定することはできなかった。【解決手段】監視画像配信装置（１００）では、撮像装置によって撮像された監視画像データに関連付けて、監視画像に関連する情報であって撮像装置が規定する監視画像関連情報を監視画像受信装置（２００）に送信する。監視画像受信装置（２００）では、監視画像とともに表示出力する監視画像に関する付加的情報を決定するための情報であって監視画像受信装置にて規定する付加的表示設定情報を予め保持しておき、監視画像データと監視画像関連情報とを受信すると、監視画像関連情報と付加的表示設定情報とに基づいて監視画像と共に付加的情報を表示するか否かを判断し、表示する付加的情報の内容を決定する。【選択図】図３
2012109926.tif 000002
【特許請求の範囲】
【請求項１】
撮像装置によって撮像された監視画像の監視画像データと、前記監視画像に関連付けられた前記監視画像に関連する情報であって前記撮像装置が規定する情報である監視画像関連情報と、を前記撮像装置から受信する受信部と、
前記監視画像関連情報の内容に応じて前記監視画像とともに表示出力する前記監視画像に関する付加的情報を決定するための情報であって自装置にて規定する情報である付加的表示設定情報を保持する付加的表示設定情報保持部と、
前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する処理部と、
を有する監視画像受信装置。
【請求項２】
前記監視画像関連情報は、前記監視画像における動体検知の結果を表す情報であり、前記付加的表示設定情報は、自装置において前記動体検知の検知対象とする前記監視画像内の領域を規定する情報であることを特徴とする請求項１に記載の監視画像受信装置。
【請求項３】
前記付加的表示設定保持部は、前記付加的表示設定情報に代えて前記監視画像関連情報の内容に応じて前記監視画像の表示出力とともに実行するアプリケーションを決定するための情報であって自装置にて規定する情報である付加的処理設定情報を保持する付加的処理設定情報保持部を有し、
前記処理部は、前記監視画像関連情報と、前記付加的処理設定情報と、に基づいて、前記監視画像の表示出力とともに前記アプリケーションを実行するか否かを決定し、前記アプリケーションを実行する場合には実行する前記アプリケーションの内容を決定することを特徴とする請求項１又は２に記載の監視画像受信装置。
【請求項４】
コンピュータに、
撮像装置によって撮像された監視画像の監視画像データと、前記監視画像に関連付けられた前記監視画像に関連する情報であって前記撮像装置が規定する情報である監視画像関連情報と、を前記撮像装置から受信する第１のステップと、
前記監視画像関連情報の内容に応じて前記監視画像とともに表示出力する前記監視画像に関する付加的情報を決定するための情報であって前記コンピュータにて規定する情報である付加的表示設定情報を前記コンピュータの記憶装置から読み出す第２のステップと、
前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する第３のステップと、
を実行させるための監視画像受信プログラム。
【請求項５】
前記監視画像関連情報は、前記監視画像における動体検知の結果を表す情報であり、前記付加的表示設定情報は、前記コンピュータにおいて前記動体検知の検知対象とする前記監視画像内の領域を規定する情報であることを特徴とする請求項４に記載の監視画像受信プログラム。
【請求項６】
前記第２のステップは、前記付加的表示設定情報に代えて、前記監視画像関連情報の内容に応じて前記監視画像の表示出力とともに実行するアプリケーションを決定するための情報であって自装置にて規定する情報である付加的処理設定情報を前記コンピュータの記憶装置から読み出し、
前記第３のステップは、前記監視画像関連情報と、前記付加的処理設定情報と、に基づいて、前記監視画像の表示出力とともに前記アプリケーションを実行するか否かを決定し、前記アプリケーションを実行する場合には実行する前記アプリケーションの内容を決定することを特徴とする請求項４又は５に記載の監視画像受信プログラム。
【請求項７】
撮像装置によって撮像された監視画像の監視画像データを配信する監視画像配信装置と、前記監視画像配信装置から配信される前記監視画像データを受信する監視画像受信装置と、を有する監視システムであって、
前記監視画像配信装置は、
前記監視画像データを保持する画像保持部と、
前記監視画像に関連する情報であって前記撮像装置もしくは自装置にて規定する情報である監視画像関連情報を、前記監視画像データに関連付けて送信する送信部と、
を有し、
前記監視画像受信装置は、
前記監視画像データと前記監視画像関連情報とを受信する受信部と、
前記監視画像関連情報の内容に応じて前記監視画像とともに表示出力する前記監視画像に関する付加的情報を決定するための情報であって自装置にて規定する情報である付加的表示設定情報を保持する付加的表示設定情報保持部と、
前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する処理部と、
を有する監視システム。
【請求項８】
前記監視画像関連情報は、前記監視画像における動体検知の結果を表す情報であり、前記付加的表示設定情報は、前記監視画像受信装置において前記動体検知の検知対象とする前記監視画像内の領域を規定する情報であることを特徴とする請求項７に記載の監視システム。
【請求項９】
前記付加的表示設定保持部は、前記付加的表示設定情報に代えて、前記監視画像関連情報の内容に応じて前記監視画像の表示出力とともに実行するアプリケーションを決定するための情報であって前記監視画像受信装置にて規定する情報である付加的処理設定情報を保持する付加的処理設定情報保持部を有し、
前記処理部は、前記監視画像関連情報と、前記付加的処理設定情報と、に基づいて、前記監視画像の表示出力とともに前記アプリケーションを実行するか否かを決定し、前記アプリケーションを実行する場合には実行する前記アプリケーションの内容を決定することを特徴とする請求項７又は８に記載の監視システム。
【発明の詳細な説明】
【技術分野】
【０００１】
本発明は、監視カメラ等によって撮像された監視画像を配信する監視システムに関し、特に、遠隔地、多地点での侵入物体の監視や定点観測などにおけるカメラからの画像データおよび音声データ等の監視データを配信する監視画像配信装置と、監視データを受信、表示、保存する監視画像受信装置とがネットワークにより接続された監視システムに関する。
【背景技術】
【０００２】
従来、監視用コンピュータにおいて、監視カメラの撮影映像を、ネットワークを介して受信してディスプレイに表示させることで、不審者等の監視を行うネットワーク対応の監視システムが存在する。
【０００３】
このようなネットワーク対応の監視システムにおける監視カメラの撮影映像を符号化して配信する監視画像配信装置（以下、適宜「Ｗｅｂエンコーダ」ともいう）による画像監視技術の機能の一つとして、監視用コンピュータでの表示映像上に、実際に撮影された映像に加えて機器の情報等を表示する重畳表示機能がある。重畳表示機能では、Ｗｅｂエンコーダに登録された機器名称や、撮影時間の情報などを表示することが可能である。また、監視用コンピュータで監視映像を表示する際には、ＰＣ（パーソナルコンピュータ）用の表示ソフトウェア（以下、「ビューアソフト」という）を用いる。重畳表示においては、受信された映像データがビューアソフトで復号された後、機器の情報等が映像上に描画される。そして、監視用コンピュータ上で監視映像を閲覧する際には、重畳表示の処理まで完了した状態の映像が表示される。
【０００４】
また、重畳表示される項目としては、ビューアソフトが内部的に持っている情報の他、Ｗｅｂエンコーダの監視上必要な警告メッセージ等を含む情報などがある。Ｗｅｂエンコーダのこれらの情報をビューアソフトが取得する方法としては、ビューアソフトがＷｅｂエンコーダに情報要求コマンドを送信し情報を要求する方法や、Ｗｅｂエンコーダが内部に登録された送信先へ自発的に情報を送信する方法、配信中の映像ストリームデータのヘッダ部分に情報を載せて送信する方法などがある（例えば、特許文献１）。
【先行技術文献】
【特許文献】
【０００５】
【特許文献１】特開２００６−１１５５０８号公報
【発明の概要】
【発明が解決しようとする課題】
【０００６】
ところで、従来の重畳表示方法によれば、重畳表示の内容は撮影映像の送信側（Ｗｅｂエンコーダ等）で決定される。よって、重畳表示の内容を変更する場合には、送信側で変更を行うことになり、受信側（監視用コンピュータ）では任意に重畳表示の内容を変更することはできなかった。特に、受信側である監視用コンピュータが複数存在する場合、送信側で重畳表示の内容を変更するとすべての監視用コンピュータにおいて重畳表示が同じように変更されてしまい、使い勝手が悪いという問題があった。例えば、一つの監視用コンピュータの都合で重畳表示内容を変更したい場合、送信側で変更するしかなく、そうすると他の監視用コンピュータでの表示も同じように変更されてしまうという問題があった。
【０００７】
さらに、従来の重畳表示方法では、撮影映像の画像データに加えて、撮影映像に重畳される文字列等のデータも送信側から受信側に送信されていたため、重畳表示する文字列等のデータ量に限界があった。また、文字列等のデータ量によっては、ネットワークに過大な負荷がかかる等の問題があった。
【０００８】
また、監視画像に関する動体検知の結果や監視カメラの識別番号等の情報が監視画像とともに配信され、受信側でこれらの情報を監視画像とともに利用するような場合にも、一方的に送信側で情報の内容を決定して送信する方法では同様の問題が発生しうる。
【０００９】
そこで、本発明は上記課題を解決し、監視システムにおいて監視画像を受信する受信側装置において、監視画像に関連する情報を受信側装置ごとに異ならして表示したり、受信側装置ごとに異なるアプリケーションを実行したりすることが可能な監視システム、監視画像受信装置、監視画像配信装置、および監視画像受信プログラムを提供することを目的とする。
【課題を解決するための手段】
【００１０】
上記課題を解決するために、本発明のある態様によれば、撮像装置によって撮像された監視画像の監視画像データと、前記監視画像に関連付けられた前記監視画像に関連する情報であって前記撮像装置が規定する情報である監視画像関連情報と、を前記撮像装置から受信する受信部と、前記監視画像関連情報の内容に応じて前記監視画像とともに表示出力する前記監視画像に関する付加的情報を決定するための情報であって自装置にて規定する情報である付加的表示設定情報を保持する付加的表示設定情報保持部と、前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する処理部と、を有する監視画像受信装置が提案される。
【００１１】
この構成によれば、監視画像受信装置においては、受信した監視画像関連情報に基づいて、監視画像の表示出力とともに警告メッセージ等を表示することが可能である。特に、同一の画像データと監視画像関連情報とが複数の監視画像受信装置に配信される場合であっても、それぞれの監視画像受信装置においては、監視画像に関して異なる警告メッセージ等を表示することが可能である。
【００１２】
また、本発明のある態様によれば、コンピュータに、撮像装置によって撮像された監視画像の監視画像データと、前記監視画像に関連付けられた前記監視画像に関連する情報であって前記撮像装置が規定する情報である監視画像関連情報と、を前記撮像装置から受信する第１のステップと、前記監視画像関連情報の内容に応じて前記監視画像とともに表示出力する前記監視画像に関する付加的情報を決定するための情報であって前記コンピュータにて規定する情報である付加的表示設定情報を前記コンピュータの記憶装置から読み出す第２のステップと、前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する第３のステップと、を実行させるための監視画像受信プログラムが提案される。
【００１３】
この構成によれば、上記コンピュータにおいては、受信した監視画像関連情報に基づいて、監視画像の表示出力とともに警告メッセージ等を表示することが可能である。特に、同一の画像データと監視画像関連情報とが複数の上記コンピュータに配信される場合であっても、それぞれのコンピュータにおいては、監視画像に関して異なる警告メッセージ等を表示することが可能である。
【００１４】
また、本発明のある態様によれば、撮像装置によって撮像された監視画像の監視画像データを監視画像受信装置に送信する監視画像配信装置であって、前記監視画像データを保持する画像保持部と、前記監視画像に関連する情報であって、前記監視画像受信装置にて前記監視画像とともに表示出力される前記監視画像に関する付加的情報を決定するために前記監視画像受信装置にて規定される付加的表示設定情報とともに用いられ、前記監視画像受信装置において前記監視画像の表示出力とともに前記付加的情報を表示するか否かを決定し、前記付加的情報を表示する場合には表示する前記付加的情報の内容を決定するための情報であり、かつ前記撮像装置もしくは自装置が規定する情報である監視画像関連情報を、前記画像データに関連付けて送信する送信部と、を有する監視画像配信装置が提案される。
【００１５】
この構成によれば、監視画像受信装置においては、受信した監視画像関連情報に基づいて、監視画像の表示出力とともに警告メッセージ等を表示することが可能である。特に、同一の画像データと監視画像関連情報とが、監視画像配信装置から複数の監視画像受信装置に配信される場合であっても、それぞれの監視画像受信装置においては、監視画像に関して異なる警告メッセージ等を表示することが可能である。
【００１６】
また、本発明のある態様によれば、撮像装置によって撮像された監視画像の監視画像データを配信する監視画像配信装置と、前記監視画像配信装置から配信される前記監視画像データを受信する監視画像受信装置と、を有する監視システムであって、前記監視画像配信装置は、前記監視画像データを保持する画像保持部と、前記監視画像に関連する情報であって前記撮像装置もしくは自装置にて規定する情報である監視画像関連情報を、前記監視画像データに関連付けて送信する送信部と、を有し、前記監視画像受信装置は、前記監視画像データと前記監視画像関連情報とを受信する受信部と、前記監視画像関連情報の内容に応じて前記監視画像とともに表示出力する前記監視画像に関する付加的情報を決定するための情報であって自装置にて規定する情報である付加的表示設定情報を保持する付加的表示設定情報保持部と、前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する処理部と、を有する監視システムが提案される。
【００１７】
この構成によれば、監視画像受信装置においては、受信した監視画像関連情報に基づいて、監視画像の表示出力とともに監視画像に関して任意の処理を実行することが可能である。特に、同一の画像データと監視画像関連情報とが、監視画像配信装置から複数の監視画像受信装置に配信される場合であっても、それぞれの監視画像受信装置においては、監視画像に関して異なる警告メッセージ等を表示することが可能である。
【発明の効果】
【００１８】
以上のように、本発明によれば、監視画像を受信する監視画像受信装置においては、受信した監視画像関連情報に基づいて、監視画像の表示出力とともに異なる警告メッセージ等を表示することが可能である。
【図面の簡単な説明】
【００１９】
【図１】監視システムの全体構成を示す図である。
【図２】監視システムの概要を示す図である。
【図３】監視システムの構成を示す図である。
【図４】監視画像関連情報の具体例を示す図である。
【図５】監視画像データの構成例を示す図である。
【図６】付加的表示設定情報の具体例を示す図である。
【図７】付加的表示設定情報の別の具体例を示す図である。
【図８】重畳表示項目の具体例を示す図である。
【図９】監視画像受信装置の具体的な構成例を示す図である。
【図１０Ａ】監視画像送信装置における処理の流れを示すフロー図である。
【図１０Ｂ】監視画像受信装置における処理の流れを示すフロー図である。
【図１１】第２の実施形態に係る監視システムの概要を示す図である。
【図１２】第３の実施形態に係る監視システムの全体構成を示す図である。
【図１３】第３の実施形態に係るＷｅｂデコーダ２００ｄおよびモニタ３１０の構成例を示す図である。
【図１４】第３の実施形態に係る監視システムにおける処理の流れを示すフロー図である。
【図１５】従来の動体検知方法について説明する図である。
【図１６】従来のネットワーク対応監視システムにおける画像受信装置の構成例を示す図である。
【発明を実施するための形態】
【００２０】
以下、本発明の実施形態について、図面を参照しながら説明する。なお、以下の説明において参照する各図では、他の図と同等部分は同一符号によって示される。
【００２１】
（第１の実施形態）
（監視システムの概要）
図１は、本実施形態に係る監視システムの全体構成を示す図である。なお、本実施形態に係る監視システムは、ネットワーク対応の監視システムであることを前提として説明するが、本実施形態はこれに限定されず、画像を配信する機能を有する他の画像配信システムにも適用可能である。
【００２２】
図１に示される監視システムは、監視画像配信装置であるＷｅｂカメラ１００ａ、Ｗｅｂカメラ１００ｂ、およびＷｅｂエンコーダ１００ｃが、ネットワーク１０を介して、監視画像受信装置であるＰＣ２００ａおよびＰＣ２００ｂと、接続されている。Ｗｅｂカメラ１００ａ、Ｗｅｂカメラ１００ｂは、Ｗｅｂエンコーダとカメラとが一体化した監視カメラであり、撮像した画像をエンコードしてネットワーク１０へ配信する機能を有する。また、Ｗｅｂエンコーダ１００ｃは、カメラ１０１と接続され、カメラ１０１で撮像された画像をエンコードしてネットワーク１０へ配信する機能を有する。すなわち、Ｗｅｂカメラ１００ａ、Ｗｅｂカメラ１００ｂ、およびＷｅｂエンコーダ１００ｃから、監視画像や音声などの監視データがネットワーク１０を介してＰＣ２００ａおよびＰＣ２００ｂに配信される。
【００２３】
Ｗｅｂカメラ１００ａ、Ｗｅｂカメラ１００ｂ、およびＷｅｂエンコーダ１００ｃから配信された監視画像や音声などの監視データは、ネットワーク１０を介して、ＰＣ２００ａ、ＰＣ２００ｂで受信される。そして、監視データは、ＰＣ２００ａおよびＰＣ２００ｂのディスプレイやＮＴＳＣ（National  Television  System  Committee）モニタ等に
表示出力等される。なお、ＰＣ２００ａおよびＰＣ２００ｂは、Ｗｅｂカメラ１００ａ等で撮像された画像を監視するための監視用端末装置である。また、図１においては、監視画像配信装置が複数存在するが（Ｗｅｂカメラ１００ａ、Ｗｅｂカメラ１００ｂ、Ｗｅｂエンコーダ１００ｃ）、監視画像配信装置は一つのみであってもよい。
【００２４】
（動体検知処理）
また、本実施形態においては、一例として、Ｗｅｂカメラ１００ａにおいて監視画像についての動体検知が実行され、その結果がＰＣ２００ａ、ＰＣ２００ｂに送信される場合について説明する。まず、一般的には、図１５に示されるように、監視画像において分割されたセグメント（図１５においては６４セグメント）のうち、動体検知の対象となる動体検知エリア９１があらかじめ設定される。そして、動体検知エリア９１において動体検知がなされた場合（映像変化が発生した場合）には、監視画像データ９０とともに動体検知エリア９１内で映像変化が発生したセグメントの番号（本例では、２１、２２、２９、３０、３５、４３）がＰＣ２００ａ’、ＰＣ２００ｂ’に通知される。そして、ＰＣ２００ａ’およびＰＣ２００ｂ’では、セグメント２１、２２、２９、３０、３５、４３が、映像変化した検知セグメントとして認識される。また、動体検知エリア９１の範囲は送信側のＷｅｂカメラ１００ａ’で決定するため、受信側装置であるＰＣ２００ａ’、ＰＣ２００ｂ’で認識される検知セグメントの番号は同一である。また、動体検知エリア９１の範囲を変更すると、これに応じて、ＰＣ２００ａ’およびＰＣ２００ｂ’で認識される検知セグメントが同じように変化する。
【００２５】
これに対し、本実施形態に係る監視システムでは、図２に示されるように、Ｗｅｂカメラ１００ａではすべてのセグメントを動体検知エリアとする。そして、映像変化が検出された場合には、監視画像データ２０とともに映像変化が発生したセグメントの番号のすべて（本例では、２１、２２、２８、２９、３０、３５、３６、３７、４３）がＰＣ２００ａおよびＰＣ２００ｂに通知される。また、ＰＣ２００ａおよびＰＣ２００ｂでは、それぞれ、各装置において動体検知の監視対象とする対象エリア２１、２２があらかじめ設定されている。そして、Ｗｅｂカメラ１００ａから通知された映像変化発生のセグメントのうち、対象エリア２１、２２に含まれるセグメントが検知セグメントとして認識される。例えば、ＰＣ２００ａにおいては対象エリア２１がセグメント２０〜２４、２８〜３２であるので、セグメント２１、２２、２８、２９、３０が検知セグメントとして認識される。また、ＰＣ２００ｂにおいては対象エリアがセグメント３、４、１１、１２、１９、２０、２７、２８、３５、３６、４３、４４、５１、５２、５９、６０であるので、セグメント２８、３５、３６、４３が検知セグメントとして認識される。
【００２６】
（監視システムの構成）
図３は、本実施形態に係る監視システムの構成を示す図である。監視画像配信装置１００は、画像保持部１１０と、送信部１２０とを有する。また、監視画像受信装置２００は、受信部２１０と、付加的表示設定情報保持部２２０と、処理部２３０と、付加的表示設定情報変更部２４０とを有する。ここで、監視画像配信装置１００とは、図１のＷｅｂカメラ１００ａ、Ｗｅｂカメラ１００ｂ、Ｗｅｂエンコーダ１００ｃである。また、監視画像受信装置２００とは、図１のＰＣ２００ａ、ＰＣ２００ｂである。
【００２７】
なお、以下に説明する監視画像配信装置１００および監視画像受信装置２００は、図示しないＣＰＵ（Central  Processing  Unit）、ＲＡＭ（Random  Access  Memory）等のメモリ、ハードディスク等の記憶装置、ネットワークインターフェイス等の一般的なコンピュータの構成と同様の構成により実現される。また、監視画像配信装置１００および監視画像受信装置２００の各構成の機能は、例えば、各装置のＣＰＵがハードディスク等に記憶されているプログラムを読み出して実行することにより、もしくは、例えば、ＦＰＧＡ（Field  Programmable  Gate  Array）においてシーケンサロジックをカスタム設計することによって実現される機能である。また、以下に説明する監視画像データ、監視画像関連情報、付加的表示設定情報等の各データは、各装置の記憶装置に記憶されるデータであり、画像保持部１１０、付加的表示設定情報保持部２２０は、各装置の記憶装置に設けられたデータ記憶領域である。
【００２８】
（監視画像配信装置１００の構成）
（画像保持部１１０）
画像保持部１１０は、撮像装置によって撮像された監視画像の監視画像データを保持する機能を有する。ここで、「撮像装置」とは具体的には監視カメラ等が該当するが、撮像装置は監視画像配信装置１００と一体となっていてもよいし、別体となっていてもよい。例えば図１のＷｅｂカメラ１００ａ、１００ｂは、監視画像配信装置１００と撮像装置とが一体になったものである。また、例えば図１のカメラ１０１とＷｅｂエンコーダ１００ｃは、監視画像配信装置１００と撮像装置とが別体になっているものである。また、カメラ１０１とＷｅｂエンコーダ１００ｃのように監視画像配信装置１００と撮像装置とが別体となっている場合には、画像保持部１１０は、例えば撮像装置（カメラ１０１）から通信インタフェースを介して監視画像を受信し、監視画像配信装置１００（Ｗｅｂエンコーダ１００ｃ）内部のハードディスク等の記憶装置に保持する。
【００２９】
（送信部１２０）
送信部１２０は、監視画像に関連する情報であって撮像装置もしくは監視画像配信装置１００にて規定する情報である監視画像関連情報を、監視画像の監視画像データに関連付けて送信する。本実施形態においては、監視画像関連情報は、監視画像配信装置１００における監視画像での動体検知の結果を表す情報であり、監視画像において映像変化が発生したセグメントを示す情報であるが、後述するように、監視画像関連情報は撮像装置における撮像方向、ズーム、フォーカスなどの撮像装置の状態を表す情報であってもよい。
【００３０】
（監視画像関連情報の具体例）
図４は、監視画像関連情報の具体例を示す図である。なお、図４に示される監視画像関連情報は、図２に示される例に則したものであり、監視画像配信装置１００における動体検知の結果として、監視画像データ２０で映像変化が発生したセグメントの番号２１、２２、２８、２９、３０、３５、３６、３７、４３を示している。図４に示される監視画像関連情報は６４ビットで構成されており、各ビットは監視画像データ２０における６４のセグメントにおいて映像変化が発生したか否かを表す。ビットが“１”の場合は、そのセグメントは映像変化が発生したセグメントであることを意味し、ビットが“０”である場合は、そのセグメントでは映像変化が発生しなかったことを意味する。つまり、本例の場合は、セグメント２１、２２、２８、２９、３０、３５、３６、３７、４３の動体検知結果を表すビットが“１”となっており、よって、“０ｘ００  ０ｘ００  ０ｘ０Ｃ  ０ｘ１Ｃ  ０ｘ３８  ０ｘ２０  ０ｘ００  ０ｘ００”という監視画像関連情報が監視画像配信装置１００において生成されて監視画像受信装置２００に送信される。
【００３１】
また、送信部１２０は、監視画像の監視画像データと監視画像関連情報とを関連付けて監視画像受信装置２００に送信するが、具体的には、例えば、監視画像関連情報は監視画像データに埋め込まれて送信される。図５は、監視画像データの構成例を示す図である。また、図５に示される監視画像データは、ＪＰＥＧ（Joint  Photographic  Experts  Group）のストリームデータである。関連情報は、例えばＪＰＥＧストリームデータのＨｅａｄｅｒのＵｓｅｒ  Ｄａｔａ領域３０に格納される。
【００３２】
なお、本例は一例であり、監視画像の監視画像データと監視画像関連情報とは関連付けられてさえいればよく、別々のタイミングで送信されるようになっていてもよい。例えば、送信部１２０において監視画像データと監視画像関連情報とを送信する際に、両者に同一の識別情報を付して送信するようになっていれば、これらを受信する監視画像受信装置２００においては、この識別情報によって両者が関連付けられたものであることを判別することができる。
【００３３】
また、送信部１２０は、所定のイベントが発生したことをトリガーとして、監視画像関連情報を生成し、監視画像の監視画像データに関連付けてこの監視画像関連情報を送信するようになっていてもよい。具体的には、例えば、監視画像において映像変化が検出されたことをトリガーにして、動体検知の結果を表す監視画像関連情報を監視画像配信装置１００から監視画像受信装置２００に送信する場合である。すなわち、これらのイベントが発生すると図４に示されるような監視画像関連情報が生成されて監視画像配信装置１００のＲＡＭ等の記憶装置に記憶される。そして、送信部１２０は、監視画像データと監視画像関連情報を監視画像配信装置１００の記憶装置から読み出して、通信インタフェースを介してネットワーク１０に送出する。
【００３４】
（監視画像受信装置２００の構成）
（受信部２１０）
受信部２１０は、監視画像配信装置１００の送信部１２０から送信される監視画像データと監視画像関連情報とを受信する。ここで、受信部２１０は、監視画像データと監視画像関連情報とを同時に受信するようになっていてもよいし、別々に受信するようになっていてもよい。すなわち、受信部２１０は図５に示されるような監視画像関連情報が埋め込まれた監視画像データを受信するようになっていてもよいし、別々のタイミングで受信される監視画像関連情報と監視画像データについて、同一の識別情報が付されたものを、関連付けられたものであると認識するようになっていてもよい。より具体的には、受信部２１０は、例えば通信インタフェースを介して受信した監視画像データおよび監視画像関連情報をハードディスクもしくはＲＡＭ等の記憶装置に記憶する。
【００３５】
（付加的表示設定情報保持部２２０）
付加的表示設定情報保持部２２０は、監視画像関連情報の内容に応じて受信部２１０で受信された監視画像データで構成される監視画像とともに表示出力する監視画像に関する付加的情報を決定するための情報であって監視画像受信装置２００にて規定する情報である付加的表示設定情報を保持する。また、付加的表示設定保持部２２０は、付加的表示設定情報に代えて、監視画像関連情報の内容に応じて監視画像の表示出力とともに実行するアプリケーションを決定するための情報であって監視画像受信装置２００にて規定する情報である付加的処理設定情報を保持する付加的処理設定情報保持部を有していてもよい。
付加的情報とは、例えば受信部２１０で受信した監視画像関連情報が動体検知の結果を表す情報である場合には、動体検知の結果に応じて監視画像受信装置２００のディスプレイに監視画像とともに表示する警告メッセージ等が該当する。また、アプリケーションとは、例えば受信部２１０で受信した監視画像関連情報が動体検知の結果を表す情報である場合には、アラームを鳴らしたり、警告通知のためのアプリケーション等が該当する。
【００３６】
（処理部２３０）
処理部２３０は、監視画像関連情報と、付加的表示設定情報と、に基づいて、監視画像の表示出力とともに付加的情報を表示するか否かを決定し、付加的情報を表示する場合には表示する付加的情報の内容を決定する。また、本実施形態においては、付加的表示設定情報は、監視画像関連情報の内容に応じて監視画像に重畳させる文字列および画像の少なくとも一方（以下、適宜「文字列等」という）を決定するための情報であり、処理部２３０は、監視画像に文字列および画像の少なくとも一方を重畳して表示出力するか否かを決定し、表示出力する場合には文字列および画像の少なくとも一方の内容を決定する。
また、上述したように監視画像受信装置が付加的処理設定情報保持部を有する場合には、処理部２３０は、監視画像関連情報と、付加的処理設定情報と、に基づいて、監視画像の表示出力とともにアプリケーションを実行するか否かを決定し、アプリケーションを実行する場合には実行するアプリケーションの内容を決定するようになっていてもよい。
【００３７】
（付加的表示設定情報の具体例）
図６は、付加的表示設定情報の具体例を示す図である。監視画像受信装置２００には、監視画像配信装置１００から送信される監視画像関連情報によって表される動体検知結果のうち、どのエリアを自装置における動体検知の対象とするか（すなわち、図２の対象エリア２１、２２）を示す情報として、図６に示されるような付加的表示設定情報が保持されている。つまり、図６においては、付加的表示設定情報は、監視画像受信装置２００において動体検知の検知対象とする監視画像内の領域を規定する情報である。
【００３８】
また、監視画像受信装置２００が複数存在する場合には、それぞれの監視画像受信装置２００において保持される付加的表示設定情報が異なっていてもよい。本例では、図６（ａ）は図２のＰＣ２００ａに保持されている付加的表示設定情報であり、図６（ｂ）は図２のＰＣ２００ｂに保持されている付加的表示設定情報である。これらの付加的表示設定情報は図４に示される監視画像関連情報と同様に、各ビットの１、０で対象エリア２１、２２の範囲が示される。６４のセグメントのうち、ビットが“１”のセグメントは検知対象とするセグメントであることを表し、ビットが“０”のセグメントは検知対象外であるセグメントであることを表す。例えば、図６（ａ）の場合は、セグメント番号が２０〜２４、２８〜３２のセグメントを検知対象とすることを示している。
【００３９】
そして、この付加的表示設定情報で示される対象エリア２１、２２において、監視画像関連情報でビットが“１”となっているセグメント、すなわち映像変化が発生したセグメントがあるか否かが、処理部２３０において判断される。そして、映像変化が発生したセグメントが存在する場合には、あらかじめ設定された文字列および画像の少なくとも一方が受信された監視画像に重畳されて表示出力される。これにより、ＰＣ２００ａ、ＰＣ２００ｂでは、自装置において付加的表示設定情報によって定められる対象エリア２１、２２内に限定して、映像変化があったか否かを認識することができる。
【００４０】
このように、監視画像受信装置２００においては、動体検知の検知対象とする対象エリアを独自に設定することができるため、図１５に示されるような従来の動体検知の方法と異なり、監視画像受信装置２００ごとに異なる動体検知を行うことができる。例えば、ビルの通路の出入口を撮影している一つの監視画像について、ＰＣ２００ａでは通路の人通りについて検知し、ＰＣ２００ｂでは出入口を抜けてくる侵入者を検知するといった使い分けをすることができる。
【００４１】
（付加的表示設定情報の他の具体例）
また、図７は、付加的表示設定情報の別の具体例を示す図である。図７の付加的表示設定情報において、「条件式」は監視画像関連情報の内容についての条件を示す。また、「正誤」は、“１”の場合（正）と“０”の場合（誤）とがある。“１”は監視画像関連情報において条件式が成立する場合には、そのカラムに設定された処理を実行することを示し、“０”は監視画像関連情報において条件式が成立しない場合に、そのカラムに設定された処理を実行することを示す。
【００４２】
例えば、図７に示される付加的表示設定情報の１行目の条件においては、監視画像関連情報の１ビット目が“１”である場合に、受信部２１０で受信された監視画像の座標（３０，５）に文字列ＩＤが“１”の文字列を重畳して表示することを表す。また、監視画像受信装置２００は、図８（ａ）に示される情報も自装置のハードディスク等の記憶装置に保持している。図８に示される情報は、文字列の「ＩＤ」ごとに、文字列の文字のサイズ、色、内容を示すものである。また、図８（ｂ）は、ＩＤ“１”〜“５”の文字列の表示例を示す。例えば、ＩＤ“１”の文字列は、１０ポイントで文字色“０ｘＦＦＦＦＦＦ”で“警告！！”という文字列であることを意味する。すなわち、処理部２３０では、図７に示されるような付加的表示設定情報と、受信部２１０で受信された監視画像関連情報とを比較した後、付加的表示設定情報の「アドレス」で指定される文字列ＩＤについて図８の情報を参照し、指定された文字列を監視画像に重畳して表示する。
【００４３】
なお、図６のようなビット列である付加的表示設定情報によって監視画像受信装置２００における動体検知の対象とするか否かが決定され、さらに図７のような条件式を含む付加的表示設定情報によって実行される重畳表示等の処理が決定されるようになっていてもよい。
【００４４】
なお、図８（ｂ）では、作図の都合上、網掛けによって色の濃淡を表現している。例えば、「警告！！」「エリア１」は白色で、「Ｗａｒｎｉｎｇ！」は赤色で、「※注意」は黄色で、「撮影場所ＸＸＸ」は緑色でそれぞれ表示されてもよい。
【００４５】
図７に戻り、２行目の条件においては、監視画像関連情報において条件式が成立する場合、「アドレス」で示される画像を重畳して表示することを表す。また、３行目の条件においては、「条件式」では監視画像関連情報の１ビット目または２ビット目が“１”であることを意味しているが、「正誤」は“０”であるので、監視画像関連情報の１ビット目または２ビット目が“１”でないこと、すなわち、１ビット目も２ビット目も“０”である場合に、文字列ＩＤ“２”の文字列を重畳表示することを意味する。また、４行目の条件においては、監視画像を表示出力する際に、「アドレス」で表される実行ファイルを実行することを意味する。
【００４６】
このように、監視画像受信装置２００においては、付加的表示設定情報を独自に設定することができるため、同一の監視画像関連情報が複数の監視画像受信装置２００に配信されても、監視画像受信装置２００によって文字列等を重畳させる条件を異ならせるとともに、監視画像に重畳させる文字列や画像を異ならせることもできる。例えば、監視画像受信装置２００で監視画像を監視しているユーザが警備員であるかシステム管理者であるか等によって知りたい情報は異なる場合もあるため、従来のネットワーク対応監視システムよりも利便性が高い。また、監視画像受信装置２００によって、それを使用するユーザの使用言語を考慮して監視画像に重畳させる文字列等を設定する（すなわち、監視画像に重畳させる文字列等の表示言語を設定する）ことも可能である。
【００４７】
図３に戻り、付加的表示設定情報変更部２４０は、付加的表示設定情報保持部２２０に保持されている付加的表示設定情報を変更する機能を有する。具体的には、付加的表示設定情報変更部２４０は、例えばキーボードやマウス等のユーザインタフェースを介して監視画像受信装置２００のユーザからの入力を受け付け、その入力内容に応じて、ハードディスク等の記憶装置に保持されている付加的表示設定情報を書き換える。これにより、複数の監視画像受信装置２００が存在する場合に、監視画像受信装置２００ごとに付加的表示設定情報を設定しなおすことができる。
【００４８】
（監視画像受信装置２００の構成の詳細）
また、図９は監視画像受信装置２００のさらに具体的な構成例を示す図である。受信部２１０は、例えば監視画像データ受信部２１１と、監視画像データ取得部２１２と、監視画像関連情報取得部２１３とから構成される。すなわち、監視画像データ受信部２１１において、監視画像配信装置１００から送信される監視画像データおよび監視画像関連情報が受信され、監視画像データ取得部２１２、監視画像関連情報取得部２１３において、それぞれ監視画像データ、監視画像関連情報が取得される。そして、監視画像データ取得部２１２で取得された監視画像データは監視画像データ復号部２３１で復号される。
【００４９】
また、監視画像関連情報判定部２３２において、ハードディスク等の記憶装置１５に設けられている付加的表示設定情報保持部２２０から付加的表示設定情報が読み出され、監視画像関連情報取得部２１３で取得された監視画像関連情報の内容が判定される。この判定結果に応じて、記憶装置１５に設けられている重畳表示項目記憶部２６１から図８に示される情報（重畳表示項目）が読み出される。そして、読み出された重畳表示項目は、重畳表示部２３３において、監視画像データ復号部２３１で復号された監視画像データに重畳表示するための処理が実行されて、映像出力部２３４にて表示出力される。
【００５０】
（従来のネットワーク対応監視システムとの比較）
ここで、本実施形態に係る監視システムの構成と、特許文献１のような従来のネットワーク対応監視システムの構成とを比較する。図１６は、従来の監視システムにおける監視画像受信装置の構成例を示す図である。従来の監視画像受信装置においては、図示しない監視画像配信装置から文字列等が重畳された監視画像データが配信され、監視画像受信装置の監視画像データ受信部９０１においてこの監視画像データが受信される。そして、監視画像データ取得部９０２において監視画像データのみが取得され、監視画像データ復号部９０３においてこの監視画像データが復号される。そして、重畳表示情報取得部９０４においては、監視画像データ受信部９０１において受信された監視画像データに重畳されている文字列等の重畳表示情報が取得される。また、重畳表示部９０５において、復号された監視画像データに、取得された重畳表示情報（文字列等）が重畳表示するための処理が実行されて、映像出力部９０６において表示出力される。
【００５１】
すなわち、図１６に示される従来の監視画像受信装置においては監視画像データ受信部９０１において受信された監視画像データに重畳されている文字列等が、そのまま重畳されて表示出力されるのに対し、図９に示される本実施形態の監視画像受信装置２００においては、監視画像関連情報取得部２１３で監視画像関連情報が取得され、その監視画像関連情報に応じた重畳表示項目がメモリ等から読み出されて重畳されて表示出力される。よって、ネットワーク対応監視システムにおいて複数の監視画像受信装置２００が存在する場合には、それぞれの監視画像受信装置２００に記憶されている付加的表示設定情報に基づいて異なる重畳表示項目が読み出されて監視画像に重畳されるため、同一の監視画像データが監視画像配信装置１００から配信されても、各監視画像受信装置２００においては異なる文字列等が重畳表示されることになる。
【００５２】
また、従来のネットワーク対応監視システムでは、監視画像の監視画像データに加えて、監視画像に重畳される文字列等のデータも監視画像配信装置から監視画像受信装置に送信されていたため、重畳表示する文字列等のデータ量に限界があった。また、文字列等のデータ量によっては、ネットワーク１０に過大な負荷がかかる等の問題があった。本実施形態に係る監視システムによれば、監視画像関連情報は６４ビットのビット列からなるため、ネットワーク１０に送出されるデータ量が抑えられる。また、監視画像データに埋め込まれる監視画像関連情報のデータ量が少なくて済むため、空いた領域を他の用途に利用することができる。
【００５３】
なお、図９の構成において、監視画像データ受信部２１１、監視画像データ取得部２１２、および監視画像関連情報取得部２１３は、図３における受信部２１０に該当する。また、監視画像データ復号部２３１、監視画像関連情報判定部２３２、重畳表示部２３３、および映像出力部２３４は、図３における処理部２３０に該当する。
【００５４】
（監視システムの処理フロー）
図１０Ａおよび図１０Ｂは、本実施形態に係る監視システムにおける処理の流れを示すフロー図である。図１０Ａは監視画像配信装置１００の処理フロー図であり、図１０Ｂは監視画像受信装置２００の処理フロー図である。
【００５５】
まず、図１０Ａのフロー図について説明する。監視画像配信装置１００に備えられているカメラ等の撮像装置から監視画像が取得され（ステップＳ１０１）、監視画像受信装置２００へ配信するための監視画像データが作成されて、画像保持部１１０にて保持される（ステップＳ１０２）。
【００５６】
この監視画像において動体検知（映像変化）のイベントが発生した場合には（ステップＳ１０３）、監視画像データのヘッダ部中の監視画像関連情報が変更される（ステップＳ１０４）。なお、監視画像データのヘッダ部中の監視画像関連情報が格納される領域は、デフォルトにおいては、監視画像関連情報が存在しないという意味で空データとなっていればよい。そして、送信部１２０において、監視画像データが配信される（ステップＳ１０５）。以上の処理が、終了するまで繰り返される（ステップＳ１０６）。
【００５７】
次に、図１０Ｂのフロー図について説明する。監視画像受信装置２００では、あらかじめ付加的表示設定情報保持部２２０に保持されている付加的表示設定情報がメモリ上に読み出される（ステップＳ２０１）。また、図７、図８（ａ）の重畳表示項目がメモリ上に読み出される（ステップＳ２０２）。
【００５８】
そして、図１０ＡのステップＳ１０５で配信された監視画像データが受信部２１０で受信されると（ステップＳ２０３）、監視画像データが復号化され、表示出力用の出力映像が作成される（ステップＳ２０４）。また、ステップＳ２０３で受信された監視画像データのヘッダ部から監視画像関連情報が取得される（ステップＳ２０５）。
【００５９】
次に、処理部２３０において、ステップＳ２０５で取得された監視画像関連情報と、ステップＳ２０１で読み出された付加的表示設定情報の条件式とが比較される（ステップＳ２０６）。監視画像において該当するイベントが発生していた場合（条件式に合致する場合）には（ステップＳ２０７）、ステップＳ２０４で作成された出力映像に文字列等が重畳される（ステップＳ２０８）。そして、ステップＳ２０８で文字列等が重畳された出力映像がディスプレイ等の表示装置に出力される（ステップＳ２０９）。
【００６０】
なお、監視画像において該当するイベントが発生していなかった場合（条件式に合致しない場合）には（ステップＳ２０７）、監視画像はそのままディスプレイ等に出力される（ステップＳ２０９）。
【００６１】
以上の処理が、終了するまで繰り返される（ステップＳ２１０）。
【００６２】
なお、ステップＳ２０１、Ｓ２０２の処理は、ステップＳ２０３の処理の後であって、Ｓ２０６の処理の前に実行されるようになっていてもよい。
【００６３】
（第２の実施形態）
図１１は、他の実施例を示す図である。図１１に示される監視システムにおいては、図示しない別途のクライアント装置（ＰＣ２００ｃでもよい）からカメラの向きを制御することのできるカメラである雲台一体型カメラ１０２に接続されているＷｅｂエンコーダ１００ｄ（監視画像配信装置１００）が、ネットワーク１０を介して、ＰＣ２００ｃ（監視画像受信装置２００）と接続されている。また、雲台一体型カメラ１０２では、カメラの向き、ズーム、フォーカス等の状態をプリセット登録しておくことができる。そして、以後、クライアント装置でプリセットボタンが押されると、雲台一体型カメラ１０２では、あらかじめプリセット登録された状態にカメラの向き、ズーム、フォーカス等が変更される。
【００６４】
本実施例では、このようにして雲台一体型カメラ１０２においてカメラの向き等が変更されると、その時のカメラの向き、ズーム、フォーカス等の設定値が監視画像関連情報としてＷｅｂエンコーダ１００ｄで生成される。そして、この監視画像関連情報が監視画像の監視画像データ中に埋め込まれて、Ｗｅｂエンコーダ１００ｄからＰＣ２００ｃに配信される。
【００６５】
また、ＰＣ２００ｃでは、カメラの向き等に対応させて重畳表示されるべき文字列等を規定した付加的表示設定情報が保存されている。例えば、監視画像関連情報に示される雲台一体型カメラ１０２の向きがＡｒｅａ１の方向を示すものである場合には“Ａｒｅａ１”の文字列を（図１１（ａ））、雲台一体型カメラ１０２の向きがＡｒｅａ２の方向を示すものである場合には“Ａｒｅａ２”の文字列を（図１１（ｂ））、監視画像に重畳するように付加的表示設定情報にて設定されている。そして、ＰＣ２００ｃにおいて監視画像関連情報が格納された監視画像データが受信されると、受信された監視画像関連情報と、自装置に保存されている付加的表示設定情報とが比較されて、監視画像関連情報で示されるカメラの向きによって、“Ａｒｅａ１”もしくは“Ａｒｅａ２”の文字列が監視画像に重畳されて表示出力される。
【００６６】
例えば、雲台一体型カメラ１０２は所定の場所に設置されている固定カメラであり、カメラの角度によって、その角度がどの場所の方向であるのかがあらかじめ分かっている。これに基づいて、ＰＣ２００ｃではカメラの各角度において、例えば「正門」、「出入口扉」等の文字列が監視画像に重畳表示されるように付加的表示設定情報にあらかじめ設定しておく。
【００６７】
図１１においては監視画像受信装置２００としてＰＣ２００ｃのみが示されているが、監視画像受信装置２００は複数存在してもよい。第１の実施形態と同様に、複数の監視画像受信装置２００が存在する場合には、雲台一体型カメラ１０２の向き等に応じて、それぞれの監視画像受信装置２００において異なる文字列等を重畳表示させることができる。
【００６８】
なお、雲台一体型カメラ１０２のカメラの向き等がクライアント装置から変更される場合のみならず、雲台一体型カメラ１０２においてユーザの手動やＷｅｂエンコーダ１００ｄからの制御信号などにより向き等が変更された場合に、監視画像とともに監視画像関連情報が送信されるようになっていてもよい。また、時間によって雲台一体型カメラ１０２のカメラの向き等が変化した場合や、外部のセンサの反応へ連動して雲台一体型カメラ１０２のカメラの向き等が変化した場合等に、その時の雲台一体型カメラ１０２の向き等が監視画像関連情報として監視画像とともに監視画像受信装置２００へ配信されるようになっていてもよい。
【００６９】
（第３の実施形態）
ところで、上述した監視画像受信装置２００として、従来、ＷｅｂカメラやＷｅｂエンコーダ等の監視画像配信装置からネットワーク上に配信された監視画像を受信しモニタ等に出力する装置として、ネットワーク型映像復号装置（以下、「Ｗｅｂデコーダ」という）がある。このＷｅｂデコーダは、ＷｅｂカメラやＷｅｂエンコーダ等のネットワーク監視画像配信装置から配信された符号化画像データを復号化し、アナログモニタ等へ出力可能な信号形式へ変換する機能を有する。
このＷｅｂデコーダの機能の一つとして、出力映像上に文字列等の情報を重畳表示させる機能がある。重畳表示させる情報の例としては、映像配信元機器の名称などがあるが、従来のＷｅｂデコーダには以下のような問題があった。
【００７０】
Ｗｅｂデコーダの各種設定は、Ｗｅｂデコーダからネットワーク上へ提供される設定用Ｗｅｂページから変更を行う。また、この設定用Ｗｅｂページへのアクセスは、Ｗｅｂデコーダと同一のネットワーク上に接続されたパーソナルコンピュータ（ＰＣ）のネットワークブラウザ等から行う必要がある。つまり、出力映像への文字列の重畳表示機能のＯＮ／ＯＦＦを行う際には、その都度、ＰＣからＷｅｂデコーダの設定用Ｗｅｂページへアクセスし変更を行う必要があった。
【００７１】
また、ＷｅｂカメラやＷｅｂエンコーダが監視画像の映像閲覧者と離れた位置に設置されるのに対し、Ｗｅｂデコーダはモニタへのライブ映像出力を行うため、映像閲覧者の近くに設置され使用される。そのため、Ｗｅｂデコーダに対する基本設定が完了した後の通常運用時には、Ｗｅｂデコーダに制御用コントローラ等を接続し、ＰＣなどを介さず直接操作が行われる。
【００７２】
つまり、Ｗｅｂデコーダで重畳表示等の制御を行う場合、次のような取り回し上の問題点がある。
上述したように、Ｗｅｂデコーダはアナログモニタ等に接続して使用されるため、映像監視者の付近に設置され、映像監視者が実機を直接操作することが容易な環境である場合が多い。ところが、その際においても、画面上に表示される重畳表示文字列の表示／非表示を切り替えるためには、Ｗｅｂデコ−ダの設定用Ｗｅｂページへアクセスし、表示設定を変更するという手順が必要だった。そのため、設定変更用のＰＣを別途用意しなければならなかった。
【００７３】
以下に説明する本実施形態に係る監視システムは、このような問題に対処することを可能とするものである。
【００７４】
（監視システムの構成）
図１２は、本実施形態に係る監視システムの全体構成を示す図である。なお、図１２に示される構成において、Ｗｅｂカメラ１００ａ、１００ｂ、カメラ１０１、Ｗｅｂエンコーダ１００ｃの機能は、第１の実施形態にて説明した通りである。また、これらに代えて、第２の実施形態にて説明した雲台一体型カメラ１０２、Ｗｅｂエンコーダ１００ｄ（図１１）が用いられてもよい。
【００７５】
また、図１２に示されるＷｅｂデコーダ２００ｄは、Ｗｅｂエンコーダ１００ｃおよびＷｅｂカメラ１００ａ、１００ｂからの映像を、ネットワーク１０を経由して受信し、モニタ３１０へ出力する。また、Ｗｅｂデコーダ２００ｄは、受信した監視画像データに名称や時刻等の情報を重畳させ出力させる機能を有する。
【００７６】
また、Ｗｅｂデコーダ２００ｄは、ＰＣ４００からの制御の他に、Ｗｅｂデコーダ本体に接続された制御用コントローラ３２０から直接制御を行うことも可能である。制御用コントローラ３２０からは、モニタ３１０へ出力される映像の切り替えや、旋回機能を持ったカメラの動作制御などを、Ｗｅｂデコーダ２００ｄを経由し制御することが可能である。なお、Ｗｅｂデコーダ２００ｄは図３の監視画像受信装置２００に該当し、基本的な機能は、第１の実施形態にて説明した通りである。
【００７７】
すなわち、Ｗｅｂデコーダ２００ｄは映像出力機器であるため、クライアントＰＣにおけるビューアソフトと同様に、その出力映像に文字列等を重畳表示させること等が可能である。文字列の表示方法や表示項目に関しては、第１および第２の実施形態と同様に、監視画像関連情報および付加的表示設定情報を使用した表示方法をそのまま用いることが出来る。また、第１および第２の実施形態で説明したように、重畳表示のみならず、所定のアプリケーションの起動等も可能である。（以下、これらの機能を総称して、適宜「重畳表示等」という。）
【００７８】
なお、ネットワーク１０上にはクライアントＰＣ（以下、「ＰＣ」という）４００などのクライアント機器が存在する。これらのクライアント機器からは、Ｗｅｂエンコーダ１００ｃ、Ｗｅｂカメラ１００ａ、１００ｂ、Ｗｅｂデコーダ２００ｄ等の各クライアント機器の各種設定変更や制御を行うことが可能である。
【００７９】
また、上述したように、従来では、Ｗｅｂデコーダの設定変更は、ＰＣ等の端末機器からＷｅｂデコーダが持つ設定変更用Ｗｅｂページにアクセスをして行っていた。しかし、Ｗｅｂデコーダを運用するネットワークシステムでは、Ｗｅｂデコーダにアクセス可能な端末機器が必ずしも存在しているとは限らず、即座に設定変更ができない場合があった。
【００８０】
また、Ｗｅｂデコーダはモニタとケーブル接続を行うため、ユーザに比較的近い位置に設置される場合が多い。その場合、ネットワーク経由でＷｅｂデコーダに接続して設定を変更するより、Ｗｅｂデコーダに設けられたスイッチ等を操作する方が簡易である場合が多い。そこで、本実施形態では、Ｗｅｂデコーダに重畳表示等を行うか否かを設定するための切替スイッチを設けた。以下、Ｗｅｂデコーダ２００ｄの構成について詳述する。
【００８１】
（Ｗｅｂデコーダ２００ｄの構成）
図１３は、本実施形態に係るＷｅｂデコーダ２００ｄの構成例を示す図である。本実施形態のＷｅｂデコーダ２００ｄでは、重畳表示等切替スイッチ３０２を設けた点が特徴である。また、Ｗｅｂデコーダ２００ｄは図３の監視画像受信装置２００に該当し、この重畳表示等切替スイッチ３０２以外の機能については監視画像受信装置２００における機能と同様である。すなわち、監視画像データ受信部２１１は図３の受信部２１０に該当し、監視画像データ処理部３０３は図３の付加的表示設定情報保持部２２０、処理部２３０、および付加的表示設定情報変更部２４０に該当し、さらに映像信号出力部３０４を有する。
なお、映像出力機器３１０の構成は、従来の映像出力機器の構成と同様である。
【００８２】
Ｗｅｂデコーダ２００ｄは監視画像データ受信部２１１においてネットワーク上の各監視画像配信装置（図１２のＷｅｂカメラ１００ａ、１００ｂ、Ｗｅｂエンコーダ１００ｃ）から送信される監視画像の監視画像データを受信する。その後、監視画像データ処理部３０３において監視画像データの復号化等を行い、映像信号出力部３０４からＮＴＳＣ出力等で表示映像をモニタ３１０へ出力する。
【００８３】
さらに、本実施形態のＷｅｂデコーダ２００ｄでは、Ｗｅｂデコーダ２００ｄ本体に取り付けられた重畳表示等切替スイッチ３０２の状態を読み取り、重畳表示等切替スイッチ３０２がＯＮの場合には監視画像データ処理部３０３において出力映像上に重畳表示等を行う。出力映像３１１は、一例として、カメラ名称が重畳表示された場合の例である。
また、重畳表示等切替スイッチ３０２がＯＦＦの場合には監視画像データ処理部３０３においては重畳表示等のための処理は実行されずに監視映像のみが出力される（出力映像３１２）。
【００８４】
また、このＷｅｂデコーダ２００ｄにおける機能を実現するために、Ｗｅｂデコーダ２００ｄでは、重畳表示等制御設定と重畳表示等ＯＮ／ＯＦＦ設定の２種類の設定情報がＲＡＭ等のメモリに記憶されて保持される。
重畳表示等制御設定は、重畳表示等切替スイッチ３０２によるスイッチ制御を優先するか、従来の設定用Ｗｅｂページからの設定による制御（以下、「ネットワーク制御」という）を優先するかの選択を切り替える機能を有する。重畳表示等ＯＮ／ＯＦＦ設定は、従来の設定用Ｗｅｂページからの設定を保持する。
【００８５】
なお、Ｗｅｂデコーダ２００ｄの設定用Ｗｅｂページには、これらの設定情報を設定するための設定項目を設けることによって、設定用Ｗｅｂページからの変更を可能とする。
つまり、Ｗｅｂデコーダ２００ｄ本体の重畳表示等切替スイッチ３０２がＯＦＦとなっている場合には、設定用Ｗｅｂページであらかじめ設定された重畳表示等ＯＮ／ＯＦＦ設定の状態によって、配信映像への重畳表示等のＯＮ／ＯＦＦを切り替えられるようにする。
【００８６】
これにより、遠隔地等のＷｅｂデコーダ２００ｄの重畳表示等切替スイッチ３０２を直接変更出来ない状況下においても、配信映像への重畳表示等のＯＮ／ＯＦＦを切り替えることが可能となる。なお、重畳表示等制御設定の変更は、設定用Ｗｅｂページからのみ行えるものとし、デコーダ２００ｄの本体にはスイッチ制御優先とネットワーク制御優先を切り替えるスイッチを取り付けないものとする。
【００８７】
（監視システムの処理フロー）
図１４は、本実施形態に係る監視システムにおける処理の流れを示すフロー図である。
【００８８】
Ｗｅｂデコーダ２００ｄの監視画像データ処理部３０３において実行される制御ソフトウェアは、まず重畳表示等制御設定を参照する（ステップＳ３０１）。
この重畳表示等制御設定がスイッチ制御優先に設定されている状態では（ステップＳ３０２）、Ｗｅｂデコーダ２００ｄ本体の重畳表示等切替スイッチ３０２により、配信映像への重畳表示等のＯＮ／ＯＦＦを切り替えられるようにする。すなわち、重畳表示等切替スイッチ３０２の状態を参照し（ステップＳ３０３）、重畳表示等切替スイッチ３０２がＯＮになっている場合には（ステップＳ３０４）、出力映像上に重畳表示等を行う（ステップＳ３０５）。
【００８９】
また、重畳表示等制御設定がネットワーク制御優先に設定されている状態では（ステップＳ３０２）、重畳表示等ＯＮ／ＯＦＦ設定を参照する（ステップＳ３０６）。重畳表示等ＯＮ／ＯＦＦ設定がＯＮになっている場合には（ステップＳ３０７）、出力映像上に重畳表示等を行う（ステップＳ３０５）。
最後に、映像信号出力部３０４において、表示映像を出力する（ステップＳ３０８）。
【００９０】
なお、上述した一群の設定項目については、Ｗｅｂデコーダ２００ｄ本体の重畳表示等切替スイッチ３０２の状態のみならず、ネットワーク制御による設定の切替を保障する機能があればよく、必ずしも上記の選択肢・名称と同じである必要はない。例えば、重畳表示等制御設定と重畳表示等ＯＮ／ＯＦＦ設定とを一つにまとめ、「スイッチ制御優先」、「ＯＮ」（上記における「ネットワーク制御優先」＋「重畳表示ＯＮ」と同等）、「ＯＦＦ」（上記における「ネットワーク制御優先」＋「重畳表示ＯＦＦ」と同等）の３つの値を持つ設定情報と、Ｗｅｂデコーダ２００ｄ本体の重畳表示等切替スイッチ３０２によって切替を行えるようにしてもかまわない。
【００９１】
また、重畳表示等切替スイッチ３０２のＯＮ／ＯＦＦの設定を、図１２に示されるような外付けの制御用コントローラ３２０から入力可能としても構わない。
また、Ｗｅｂデコーダ２００ｄには、モニタ３１０での表示画面を分割して複数の画像配信元からの映像を一つの映像として出力する機能がある。よって、デコーダ２００ｄの本体に複数の重畳表示等切替スイッチを設けて、画像配信元ごとに重畳表示等のＯＮ／ＯＦＦを切替られるようにしても構わない。
【００９２】
以上説明したように、本実施形態に係る監視システムでは、重畳表示等の切り替えスイッチをＷｅｂデコーダ２００ｄに取り付けることにより、設定変更用ＰＣを介さずに出力映像上への重畳表示等のＯＮ／ＯＦＦを切り替えられるようにした。従来では、ＰＣからネットワークブラウザを使用してＷｅｂデコーダの設定用Ｗｅｂページにアクセスし、重畳表示機能の表示／非表示の設定を変更するという手順が必要であったが、本実施形態に係るＷｅｂデコーダ２００ｄでは、本体に設けられたスイッチの切り替えのみで変更が可能となるため、設定の手順が簡略化される。また、設定変更用ＰＣを映像監視者のそばに常設する必要もなくなるため、システムの低コスト化、省スペース化が期待できる。
【００９３】
（他の実施形態）
人の出入りを検知する赤外線センサや、ドアの開け閉めを検知するセンサ等の外部センサから検知信号が出力されたことをトリガーとして、検知信号の値を監視画像関連情報として、監視画像配信装置１００から監視画像とともに配信されるようになっていてもよい。
【００９４】
また、上記の実施形態においては、監視画像受信装置２００において文字列等が監視画像に重畳表示される場合について説明したが、他の処理であってもよい。例えば、監視画像の表示出力とともに警告音や音声が出力されるようになっていてもよいし、監視画像受信装置２００に備えられている警告ランプが点滅する等となっていてもよい。また、監視画像の録画が自動的に行われるようになっていてもよい。さらに、これらの処理が組み合わされて用いられてもよい。
【００９５】
（監視画像受信プログラム）
上述した監視システムにおいて、監視画像受信装置２００であるコンピュータには、監視画像受信プログラムをインストールしておく必要がある。この監視画像受信プログラムは、以下のようなプログラムである。すなわち、撮像装置によって撮像された監視画像の監視画像データと、前記監視画像に関連付けられた前記監視画像に関連する情報であって前記撮像装置が規定する情報である監視画像関連情報と、を前記撮像装置から受信する第１のステップと、前記監視画像関連情報の内容に応じて前記監視画像とともに表示出力する前記監視画像に関する付加的情報を決定するための情報であって前記コンピュータにて規定する情報である付加的表示設定情報を前記コンピュータの記憶装置から読み出す第２のステップと、前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する第３のステップと、を実行させるための監視画像受信プログラムである。
【００９６】
つまり、コンピュータが備える記憶装置にこの監視画像受信プログラムを記憶させておき、ＣＰＵがこのプログラムを読み出して実行することで、図１０（ｂ）のフロー図に示される各ステップを実行することができる。
【００９７】
なお、上記の監視画像受信プログラムは、ネットワークを通じてダウンロードされることによりコンピュータにインストールされて実行されてもよいし、記憶媒体に記憶されて配布されることによりコンピュータにインストールされて実行されてもよい。
【００９８】
また、本発明の範囲は、図示され記載された例示的な実施形態に限定されるものではなく、本発明が目的とするものと均等な効果をもたらすすべての実施形態をも含む。さらに、本発明の範囲は、すべての開示されたそれぞれの特徴のうち特定の特徴のあらゆる所望する組み合わせによって画されうる。
【００９９】
（付記）
以上に、本発明に係る実施形態について詳細に説明したことからも明らかなように、上述の実施形態の一部または全部は、以下の各付記のようにも記載することができる。しかしながら、以下の各付記は、あくまでも、本発明の単なる例示に過ぎず、本発明は、かかる場合のみに限るものではない。
【０１００】
（付記１）
撮像装置によって撮像された監視画像の監視画像データと、前記監視画像に関連付けられた前記監視画像に関連する情報であって前記撮像装置が規定する情報である監視画像関連情報と、を前記撮像装置から受信する受信部と、
前記監視画像関連情報の内容に応じて前記監視画像とともに表示出力する前記監視画像に関する付加的情報を決定するための情報であって自装置にて規定する情報である付加的表示設定情報を保持する付加的表示設定情報保持部と、
前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する処理部と、
を有する監視画像受信装置。
【０１０１】
（付記２）
前記監視画像関連情報は、前記監視画像における動体検知の結果を表す情報であり、前記付加的表示設定情報は、自装置において前記動体検知の検知対象とする前記監視画像内の領域を規定する情報であることを特徴とする付記１に記載の監視画像受信装置。
この構成によれば、監視画像受信装置では、動体検知の結果に応じてディスプレイに監視画像とともに警告メッセージ等を表示することが可能である。
【０１０２】
（付記３）
前記監視画像関連情報は、前記撮像装置における撮像方向、ズーム、フォーカスなどの前記撮像装置の状態を表す情報であることを特徴とする付記１に記載の監視画像受信装置。
この構成によれば、監視画像受信装置では、撮像装置の撮像方向等の変化に応じてディスプレイに監視画像とともに警告メッセージ等を表示することが可能である。
【０１０３】
（付記４）
前記付加的表示設定情報は、前記監視画像関連情報の内容に応じて前記監視画像に重畳させる文字列および画像の少なくとも一方を決定するための情報であり、
前記処理部は、前記監視画像に前記文字列および前記画像の少なくとも一方を重畳して表示出力するか否かを決定し、表示出力する場合には前記文字列および前記画像の少なくとも一方の内容を決定することを特徴とする付記１から３のいずれか一項に記載の監視画像受信装置。
この構成によれば、監視画像関連情報の内容に基づいて、監視画像受信装置のディスプレイに監視画像に文字列等を重畳して表示することが可能である。
【０１０４】
（付記５）
前記処理部において前記付加的情報に関する処理を実行するか否かを切り替えるための切替スイッチをさらに有する付記１から付記４のいずれか一項に記載の監視画像受信装置。
従来では、出力映像への文字列の重畳表示機能のＯＮ／ＯＦＦの設定を行う際には、その都度、ＰＣからＷｅｂデコーダの設定用Ｗｅｂページへアクセスし変更を行う必要があったが、この構成によれば、Ｗｅｂデコーダ等の監視画像受信装置において、より簡単に設定を行うことができる。
【０１０５】
（付記６）
前記監視画像関連情報は、前記監視画像に関連する情報をビット列で表したものであることを特徴とする付記１から５のいずれか一項に記載の監視画像受信装置。
従来のネットワーク対応監視システム等では、監視画像の画像データに加えて、監視画像に重畳される文字列等のデータも、画像を配信する監視画像配信装置から監視画像受信装置に送信されていたため、重畳表示する文字列等のデータ量に限界があった。また、文字列等のデータ量によっては、監視画像配信装置と監視画像受信装置との間のネットワークに過大な負荷がかかる等の問題があった。上記構成の監視画像受信装置によれば、監視画像関連情報はサイズの小さいビット列からなるため、ネットワークを流れるデータ量が抑えられる。
【０１０６】
（付記７）
前記付加的表示設定情報を変更する付加的表示設定情報変更部をさらに有することを特徴とする付記１から６のいずれか一項に記載の監視画像受信装置。
この構成によれば、監視画像受信装置において付加的表示設定情報を設定しなおすことができる。
【０１０７】
（付記８）
前記付加的表示設定保持部は、前記付加的表示設定情報に代えて前記監視画像関連情報の内容に応じて前記監視画像の表示出力とともに実行するアプリケーションを決定するための情報であって自装置にて規定する情報である付加的処理設定情報を保持する付加的処理設定情報保持部を有し、
前記処理部は、前記監視画像関連情報と、前記付加的処理設定情報と、に基づいて、前記監視画像の表示出力とともに前記アプリケーションを実行するか否かを決定し、前記アプリケーションを実行する場合には実行する前記アプリケーションの内容を決定することを特徴とする付記１から７のいずれか一項に記載の監視画像受信装置。
この構成によれば、監視画像関連情報と付加的処理設定情報とに基づいて、監視画像受信装置において所定のアプリケーションが実行される。
【０１０８】
（付記９）
コンピュータに、
撮像装置によって撮像された監視画像の監視画像データと、前記監視画像に関連付けられた前記監視画像に関連する情報であって前記撮像装置が規定する情報である監視画像関連情報と、を前記撮像装置から受信する第１のステップと、
前記監視画像関連情報の内容に応じて前記監視画像とともに表示出力する前記監視画像に関する付加的情報を決定するための情報であって前記コンピュータにて規定する情報である付加的表示設定情報を前記コンピュータの記憶装置から読み出す第２のステップと、
前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する第３のステップと、
を実行させるための監視画像受信プログラム。
【０１０９】
（付記１０）
前記監視画像関連情報は、前記監視画像における動体検知の結果を表す情報であり、前記付加的表示設定情報は、前記コンピュータにおいて前記動体検知の検知対象とする前記監視画像内の領域を規定する情報であることを特徴とする付記９に記載の監視画像受信プログラム。
この構成によれば、コンピュータにおいて、動体検知の結果に応じてディスプレイに監視画像とともに警告メッセージ等を表示することが可能となる。
【０１１０】
（付記１１）
前記監視画像関連情報は、前記撮像装置における撮像方向、ズーム、フォーカスなどの前記撮像装置の状態を表す情報であることを特徴とする付記９に記載の監視画像受信プログラム。
この構成によれば、コンピュータにおいて、撮像装置の撮像方向等の変化に応じてディスプレイに監視画像とともに警告メッセージ等を表示することが可能となる。
【０１１１】
（付記１２）
前記付加的表示設定情報は、前記監視画像関連情報の内容に応じて前記監視画像に重畳させる文字列および画像の少なくとも一方を決定するための情報であり、
前記処理ステップは、前記監視画像に前記文字列および前記画像の少なくとも一方を重畳して表示出力するか否かを決定し、表示出力する場合には前記文字列および前記画像の少なくとも一方の内容を決定することを特徴とする付記９から１１のいずれか一項に記載の監視画像受信プログラム。
この構成によれば、監視画像関連情報の内容に基づいて、コンピュータのディスプレイに監視画像に文字列等を重畳して表示することが可能となる。
【０１１２】
（付記１３）
前記監視画像関連情報は、前記監視画像に関連する情報をビット列で表したものであることを特徴とする付記９から１２のいずれか一項に記載の監視画像受信プログラム。
従来のネットワーク対応監視システム等では、監視画像の画像データに加えて、監視画像に重畳される文字列等のデータも画像を配信する監視画像配信装置から監視画像受信装置に送信されていたため、重畳表示する文字列等のデータ量に限界があった。また、文字列等のデータ量によっては、監視画像配信装置と監視画像受信装置との間のネットワークに過大な負荷がかかる等の問題があった。上記構成の監視画像受信プログラムによれば、監視画像関連情報はサイズの小さいビット列からなるため、ネットワークを流れるデータ量が抑えられる。
【０１１３】
（付記１４）
前記第２のステップは、前記付加的表示設定情報に代えて、前記監視画像関連情報の内容に応じて前記監視画像の表示出力とともに実行するアプリケーションを決定するための情報であって自装置にて規定する情報である付加的処理設定情報を前記コンピュータの記憶装置から読み出し、
前記第３のステップは、前記監視画像関連情報と、前記付加的処理設定情報と、に基づいて、前記監視画像の表示出力とともに前記アプリケーションを実行するか否かを決定し、前記アプリケーションを実行する場合には実行する前記アプリケーションの内容を決定することを特徴とする付記９から１３のいずれか一項に記載の監視画像受信プログラム。
この構成によれば、監視画像関連情報と付加的処理設定情報とに基づいて、コンピュータにおいて所定のアプリケーションが実行される。
【０１１４】
（付記１５）
撮像装置によって撮像された監視画像の監視画像データを監視画像受信装置に送信する監視画像配信装置であって、
前記監視画像データを保持する画像保持部と、
前記監視画像に関連する情報であって、前記監視画像受信装置にて前記監視画像とともに表示出力される前記監視画像に関する付加的情報を決定するために前記監視画像受信装置にて規定される付加的表示設定情報とともに用いられ、前記監視画像受信装置において前記監視画像の表示出力とともに前記付加的情報を表示するか否かを決定し、前記付加的情報を表示する場合には表示する前記付加的情報の内容を決定するための情報であり、かつ前記撮像装置もしくは自装置が規定する情報である監視画像関連情報を、前記画像データに関連付けて送信する送信部と、
を有する監視画像配信装置。
【０１１５】
（付記１６）
前記監視画像関連情報は、前記監視画像における動体検知の結果を表す情報であり、前記付加的表示設定情報は、前記監視画像受信装置において前記動体検知の検知対象とする前記監視画像内の領域を規定する情報であることを特徴とする付記１５に記載の監視画像配信装置。
この構成によれば、監視画像受信装置では、動体検知の結果に応じてディスプレイに監視画像とともに警告メッセージ等を表示することが可能である。
【０１１６】
（付記１７）
前記監視画像関連情報は、前記撮像装置における撮像方向、ズーム、フォーカスなどの前記撮像装置の状態を表す情報であることを特徴とする付記１５に記載の監視画像配信装置。
この構成によれば、監視画像受信装置では、撮像装置の撮像方向等の変化に応じてディスプレイに監視画像とともに警告メッセージ等を表示することが可能である。
【０１１７】
（付記１８）
前記送信部は、所定のイベントが発生したことをトリガーとして前記監視画像関連情報を生成し、前記監視画像データに関連付けて送信することを特徴とする付記１５から１７のいずれか一項に記載の監視画像配信装置。
この構成によれば、所定のイベントが発生した場合に、監視画像受信装置において、発生したイベントの内容に応じてディスプレイに監視画像とともに文字列等を重畳表示する等の処理を行うことが可能である。
【０１１８】
（付記１９）
前記監視画像関連情報は、前記監視画像受信装置にて前記監視画像に重畳表示される文字列および画像の少なくとも一方を決定するための情報であり前記付加的表示設定情報とともに用いられ、前記監視画像受信装置において前記重畳表示を行うか否かが決定され、前記重畳表示を行う場合には前記重畳表示する前記文字列および前記画像の少なくとも一方を決定するための情報であることを特徴とする付記１５から１８のいずれか一項に記載の監視画像配信装置。
この構成によれば、監視画像関連情報の内容に基づいて、監視画像受信装置のディスプレイに監視画像に文字列等を重畳して表示することが可能である。
【０１１９】
（付記２０）
前記監視画像関連情報は、前記監視画像に関連する情報をビット列で表したものであることを特徴とする付記１５から１９のいずれか一項に記載の監視画像配信装置。
【０１２０】
従来のネットワーク対応監視システム等では、監視画像の画像データに加えて、監視画像に重畳される文字列等のデータも画像配信装置から画像受信装置に送信されていたため、重畳表示する文字列等のデータ量に限界があった。また、文字列等のデータ量によっては、画像配信装置と、画像受信装置との間のネットワークに過大な負荷がかかる等の問題があった。上記構成の画像配信システムによれば、監視画像関連情報はサイズの小さいビット列からなるため、ネットワークに送出されるデータ量が抑えられる。
【０１２１】
（付記２１）
前記監視画像関連情報は、前記付加的表示設定情報に代えて、前記監視画像受信装置にて前記監視画像の表示出力とともに実行するアプリケーションを決定するために前記監視画像受信装置にて規定される付加的処理設定情報とともに用いられ、前記監視画像受信装置において前記監視画像の表示出力とともに前記アプリケーションを実行するか否かを決定し、前記アプリケーションを実行する場合には実行する場合には前記アプリケーションの内容を決定するための情報であり、かつ前記撮像装置もしくは自装置が規定する情報であることを特徴とする付記１５から２０のいずれか一項に記載の監視画像配信装置。
この構成によれば、監視画像関連情報と付加的処理設定情報とに基づいて、監視画像受信装置において所定のアプリケーションが実行される。
【０１２２】
（付記２２）
撮像装置によって撮像された監視画像の監視画像データを配信する監視画像配信装置と、前記監視画像配信装置から配信される前記監視画像データを受信する監視画像受信装置と、を有する監視システムであって、
前記監視画像配信装置は、
前記監視画像データを保持する画像保持部と、
前記監視画像に関連する情報であって前記撮像装置もしくは自装置にて規定する情報である監視画像関連情報を、前記監視画像データに関連付けて送信する送信部と、
を有し、
前記監視画像受信装置は、
前記監視画像データと前記監視画像関連情報とを受信する受信部と、
前記監視画像関連情報の内容に応じて前記監視画像とともに表示出力する前記監視画像に関する付加的情報を決定するための情報であって自装置にて規定する情報である付加的表示設定情報を保持する付加的表示設定情報保持部と、
前記監視画像関連情報と、前記付加的表示設定情報と、に基づいて、前記監視画像の表示出力とともに前記付加的情報を表示するか否かを決定し、前記付加的情報を表示する場合には表示する前記付加的情報の内容を決定する処理部と、
を有する監視システム。
【０１２３】
（付記２３）
前記監視画像関連情報は、前記監視画像における動体検知の結果を表す情報であり、前記付加的表示設定情報は、前記監視画像受信装置において前記動体検知の検知対象とする前記監視画像内の領域を規定する情報であることを特徴とする付記２２に記載の監視システム。
この構成によれば、監視画像受信装置では、動体検知の結果に応じてディスプレイに監視画像とともに警告を表示したり、アラームを鳴らしたり、所定のアプリケーションを起動する等の処理を行うことが可能である。
【０１２４】
（付記２４）
前記監視画像関連情報は、前記撮像装置における撮像方向、ズーム、フォーカスなどの前記撮像装置の状態を表す情報であることを特徴とする付記２２に記載の監視システム。
この構成によれば、監視画像受信装置では、撮像装置の撮像方向等の変化に応じてディスプレイに監視画像とともに警告メッセージ等を表示することが可能である。
【０１２５】
（付記２５）
前記送信部は、所定のイベントが発生したことをトリガーとして前記監視画像関連情報を生成し、前記監視画像データに関連付けて送信することを特徴とする付記２２から２４のいずれか一項に記載の監視システム。
この構成によれば、所定のイベントが発生した場合に、監視画像配信装置からの監視画像を受信する監視画像受信装置において、発生したイベントの内容に応じてディスプレイに監視画像とともに文字列等を重畳表示したり、アラームを鳴らしたり、所定のアプリケーションを起動する等の処理を行うことが可能である。
【０１２６】
（付記２６）
前記付加的表示設定情報は、前記監視画像関連情報の内容に応じて前記監視画像に重畳させる文字列および画像の少なくとも一方を決定するための情報であり、
前記処理部は、前記監視画像に前記文字列および前記画像の少なくとも一方を重畳して表示出力するか否かを決定し、表示出力する場合には前記文字列および前記画像の少なくとも一方の内容を決定することを特徴とする付記２２から２５のいずれか一項に記載の監視システム。
この構成によれば、監視画像関連情報の内容に基づいて、監視画像受信装置のディスプレイに監視画像に文字列等を重畳して表示することが可能である。
【０１２７】
（付記２７）
前記処理部において前記付加的情報に関する処理を実行するか否かを切り替えるための切替スイッチをさらに有する付記２２から２６のいずれか一項に記載の監視システム。
【０１２８】
（付記２８）
前記監視画像関連情報は、前記監視画像に関連する情報をビット列で表したものであることを特徴とする付記２２から２７のいずれか一項に記載の監視システム。
従来のネットワーク対応監視システム等では、監視画像の画像データに加えて、監視画像に重畳される文字列等のデータも監視画像配信装置から監視画像受信装置に送信されていたため、重畳表示する文字列等のデータ量に限界があった。また、文字列等のデータ量によっては、監視画像配信装置と監視画像受信装置との間のネットワークに過大な負荷がかかる等の問題があった。上記構成の監視システムによれば、監視画像関連情報はサイズの小さいビット列からなるため、ネットワークに送出されるデータ量が抑えられる。
【０１２９】
（付記２９）
前記画像受信装置は、
前記付加的表示設定情報を変更する付加的表示設定情報変更部をさらに有することを特徴とする付記２２から２８のいずれか一項に記載の監視システム。
この構成によれば、監視画像受信装置において付加的表示設定情報を設定しなおすことができる。
【０１３０】
（付記３０）
前記付加的表示設定保持部は、前記付加的表示設定情報に代えて、前記監視画像関連情報の内容に応じて前記監視画像の表示出力とともに実行するアプリケーションを決定するための情報であって前記監視画像受信装置にて規定する情報である付加的処理設定情報を保持する付加的処理設定情報保持部を有し、
前記処理部は、前記監視画像関連情報と、前記付加的処理設定情報と、に基づいて、前記監視画像の表示出力とともに前記アプリケーションを実行するか否かを決定し、前記アプリケーションを実行する場合には実行する前記アプリケーションの内容を決定することを特徴とする付記２２から２９のいずれか一項に記載の監視システム。
この構成によれば、監視画像関連情報と付加的処理設定情報とに基づいて、監視画像受信装置において所定のアプリケーションが実行される。
【符号の説明】
【０１３１】
１０  ネットワーク
１００  監視画像配信装置
１００ａ、１００ｂ  Ｗｅｂカメラ
１００ｃ、１００ｄ  Ｗｅｂエンコーダ
１０１  カメラ
１０２  雲台一体型カメラ
１１０  画像保持部
１２０  送信部
２００  監視画像受信装置
２００ａ、２００ｂ、２００ｃ  ＰＣ
２００ｄ  Ｗｅｂデコーダ
２１０  受信部
２１１  監視画像データ受信部
２１２  監視画像データ取得部
２１３  監視画像関連情報取得部
２２０  付加的表示設定情報保持部
２３０  処理部
２３１  監視画像データ復号部
２３２  監視画像関連情報判定部
２３３  重畳表示部
２３４  映像出力部
２４０  付加的表示設定情報変更部
２６１  重畳表示項目記憶部
３０２  重畳表示等切替スイッチ
３０３  監視画像データ処理部
３０４  映像信号出力部
３１０  映像出力機器（モニタ）
３１１、３１２  出力映像
３２０  制御用コントローラ
４００  ＰＣ（クライアント機器）
【図１】
2012109926.tif 000003
【図２】
2012109926.tif 000004
【図３】
2012109926.tif 000005
【図４】
2012109926.tif 000006
【図５】
2012109926.tif 000007
【図６】
2012109926.tif 000008
【図７】
2012109926.tif 000009
【図８】
2012109926.tif 000010
【図９】
2012109926.tif 000011
【図１０Ａ】
2012109926.tif 000012
【図１０Ｂ】
2012109926.tif 000013
【図１１】
2012109926.tif 000014
【図１２】
2012109926.tif 000015
【図１３】
2012109926.tif 000016
【図１４】
2012109926.tif 000017
【図１５】
2012109926.tif 000018
【図１６】
2012109926.tif 000019